(57)【要約】      （修正有）【課題】停電時でも微小気泡水を確保することができ、かつ直射日光を原因とした槽内での藻の発生を解消することができる微小気泡水による動植物陸上生育設備を提供する。【解決手段】動物または植物の生育を行う動植物生育場付近の屋外に付設された微小気泡水槽１３と、微小気泡水槽１３に設けられ、微小気泡水槽１３の水全体を微小気泡水とする微小気泡発生機１４と、微小気泡水槽１３から動植物生育場に微小気泡水を供給する給水配管１５と、微小気泡水槽１３の上面開口を塞ぐ遮光性カバー材１６とを備えた。【選択図】図１
0003208850.tif 000002
【実用新案登録請求の範囲】
【請求項１】
動物または植物の生育を行う動植物生育場付近の屋外に付設された微小気泡水槽と、
該微小気泡水槽に設けられ、水面下で微小気泡を発生させる微小気泡発生機と、
前記微小気泡水槽から前記動植物生育場に前記微小気泡水を供給する給水配管と、
該微小気泡水槽の上面開口を開閉自在に塞ぐ遮光性カバー材とを備えたことを特徴とする微小気泡水による動植物陸上生育設備。
【請求項２】
前記微小気泡水が、マイクロバブル水またはナノバブル水で、
前記微小気泡水槽の容積が、１０ｍ３〜１,０００ｍ３あることを特徴とする請求項１に記載の微小気泡水による動植物陸上生育設備。
【請求項３】
前記遮光性カバー材が遮光シートからなることを特徴とする請求項１または請求項２に記載の微小気泡水による動植物陸上生育設備。
【請求項４】
前記微小気泡水槽または前記遮光性カバー材には、前記微小気泡水槽の内周面の露出部分と前記遮光性カバー材の内面とに、前記微小気泡水からなる消臭ミストを噴霧するミスト噴霧手段を設けたことを特徴とする請求項１〜請求項３のうち、何れか１項に記載の微小気泡水による動植物陸上生育設備。
【考案の詳細な説明】
【技術分野】
【０００１】
この考案は、ナノバブル水等の微小気泡水を利用し、動物の陸上飼育や植物の陸上栽培を行うための微小気泡水による動植物陸上生育設備に関する。
【背景技術】
【０００２】
近年、ナノバブル発生装置により得られたナノバブル水を使用し、例えば、ヒラメ、フグ、エビ、貝等の魚介類（動植物）を、屋外に設置された養殖水槽により養殖する微小気泡水陸上養殖設備（動植物陸上生育設備）が開発されている（例えば非特許文献１）。
ナノバブル水は、直径がナノメートル単位の微細な気泡を含む水である。このように気泡体積が微小であるため、上昇速度が遅く、長い間水中に気泡が滞在し続けることにより、高い溶存酸素量が得られる。その結果、魚介類の酸素欠乏が防止され、かつ魚病の原因となる嫌気性菌が減少して魚介の生産性が高まり、また水中の懸濁物の浮上、養殖槽の底のヘドロの浮上などの効果も得られる。
【先行技術文献】
【特許文献】
【０００３】
【非特許文献１】［平成２８年１１月１４日検索］、インターネット＜URL：http://www.mhl.janis.or.jp/~cosmos/winsakana.html
【考案の開示】
【考案が解決しようとする課題】
【０００４】
しかしながら、従来の養殖設備にあっては、養殖水槽にナノバブル発生機（微小気泡発生機）を取り付け、これにより得られたナノバブル水を養殖水槽に供給していた。そのため、停電時にはナノバブル発生機が作動せず、ナノバブル水を養殖水槽に供給することができなかった。この点は、ナノバブル水を動植物の生育水に利用する、例えば養鶏場、養豚場、牧場、水族館、動物園等において対象の動物を成育する設備や、トマト、イチゴ、レタス等の植物を生育する設備においても同様であった。
【０００５】
そこで、本考案者は、鋭意研究の結果、動植物生育場近くの屋外に微小気泡水槽を付設し、ここで得られた微小気泡水を、水路を通して動植物生育場へ供給するようにすれば、停電時でも動植物の生育用の微小気泡水を確保できることを知見し、この考案を完成させた。
また、屋外水槽内では、直射日光の影響で水槽内に藻が発生するおそれがある。そこで、本考案者は、微小気泡水槽の上面開口を遮光性カバー材により開閉自在に塞げばよいことを知見し、この考案を完成させた。
【０００６】
本考案は、このような従来の問題点に艦がみなされたもので、停電時でも微小気泡水を確保することができ、かつ直射日光を原因とした微小気泡水槽内での藻の発生を解消することができる動植物陸上生育設備を提供することを目的としている。
【課題を解決するための手段】
【０００７】
請求項１に記載の本考案は、動物または植物の生育を行う動植物生育場付近の屋外に付設された微小気泡水槽と、該微小気泡水槽に設けられ、水面下で微小気泡を発生させる微小気泡発生機と、前記微小気泡水槽から前記動植物生育場に前記微小気泡水を供給する給水配管と、該微小気泡水槽の上面開口を塞ぐ遮光性カバー材とを備えたことを特徴とする微小気泡水による動植物陸上生育設備である。
【０００８】
また、請求項２に記載の本考案は、前記微小気泡水が、マイクロバブル水またはナノバブル水で、前記微小気泡水槽の容積が、１０ｍ３〜１,０００ｍ３あることを特徴とする請求項１に記載の微小気泡水による動植物陸上生育設備である。
【０００９】
さらに、請求項３に記載の本考案は、前記遮光性カバー材が遮光シートからなることを特徴とする請求項１または請求項２に記載の微小気泡水による動植物陸上生育設備である。
【００１０】
さらにまた、請求項４に記載の本考案は、前記微小気泡水槽または前記遮光性カバー材には、前記微小気泡水槽の内周面の露出部分と前記遮光性カバー材の内面とに、前記微小気泡水からなる消臭ミストを噴霧するミスト噴霧手段を設けたことを特徴とする請求項１〜請求項３のうち、何れか１項に記載の微小気泡水による動植物陸上生育設備である
【００１１】
ここでいう動物の種類は限定されない。例えば、それぞれ各種の哺乳類、鳥類、爬虫類、両生類、魚類、昆虫類、甲殻類、クモ類、多足類、軟体動物（貝類を含む）が挙げられる。
ここでいう植物の種類は限定されない。例えば、それぞれ各種の被子植物、裸子植物、シダ植物、コケ植物、藻類、菌類、細菌類が挙げられる。
動植物生育場は、生育される動植物によって適宜変更される。例えば、生育対象となる動物が鶏の場合には養鶏場、豚の場合には養豚場、牛の場合には牧場である。その他、各種の動物が飼育される動物園、各種の魚介類が飼育される水族館でもよい。また、生育対象となる植物がハウス栽培されるトマトやイチゴ等の場合にはビニールハウスである。
微小気泡水槽とは、微小気泡水を製造するための水槽で、地面を掘削して設けても、地上に設置してもよい。
微小気泡水槽の容積は限定されないものの、１０ｍ３〜１,０００ｍ３が好ましい。１０ｍ３未満では動植物生育場へ給水する微小気泡水の水量が不足し、１,０００ｍ３を超えれば、水槽が大型になり過ぎて管理が難しく、かつ上面の開口面積も大きくなって、これを塞ぐ遮光性カバー材が大判になり過ぎる。
【００１２】
ここでいう「動植物生育場付近の屋外」とは、動植物生育場内の屋外領域でもよいし、動植物生育場の近くの屋外領域でもよい。
ここでいう微小気泡水とは、例えば、直径が数十マイクロメートル以下の気泡を含むマイクロバブル水や、直径がナノメートル単位（数百ナノメートル以下）の微細な気泡を含むナノバブル水である。
微小気泡発生機は、微小気泡水の種類に応じて適宜変更される。例えば、微小気泡水がマイクロバブル水の場合には、各種のマイクロバブル発生装置を採用することができる。また、微小気泡水がナノバブル水の場合には、例えば、マイクロバブル水の中で羽根付き回転体を回転してマイクロバブルを圧壊し、ナノバブルを生成させるバブル圧壊式のものを採用することができる。
【００１３】
給水配管としては、例えば、各種のパイプを採用することができる。その他、開口した上面が閉蓋された水路でもよい。
遮光性カバー材としては、例えば、各種の遮光シート（帆布等）、遮光性を有した蓋板などを採用することができる。このうち、遮光シートの方が、安価で開閉作業が容易であるため好ましい。また、遮光シートは防水性、耐候性、断熱性等に優れたものが好ましい。
また、遮光性カバー材は、微小気泡水槽の上面開口を着脱自在に塞ぐようにした方が、微小気泡水槽内のメンテナンスを行い易い。
ここでいうミスト噴霧手段とは、微小気泡水を噴霧原料とし、スプレーノズル（ミストノズル）から、例えば数μｍ〜数１０μｍサイズの霧を発生させる装置である。
ミスト噴霧手段の構造は任意である。例えば、フィルタを通して微小気泡水槽の微小気泡水を貯水タンクに吸い上げ、タンク内の水を高圧ポンプによりスプレーノズルに圧送するものなどを採用することができる。
ミスト噴霧手段は、微小気泡水槽に設けても遮光性カバー材に設けてもよい。
また、ミスト噴霧手段により発生した消臭ミストが噴霧される領域は、遮光性カバー材により閉蓋された微小気泡水槽の上部空間形成面である。すなわち、微小気泡水槽の内周面のうち、水面より上方の露出部分でも、遮光性カバー材の内面でも、これらの両方でもよい。
【考案の効果】
【００１４】
請求項１に記載の考案によれば、動植物生育場近くの屋外に付設した微小気泡水槽の水面下で、微小気泡発生機により微小気泡を発生させ、微小気泡水槽に溜まった水を微小気泡水とする。その後、得られた微小気泡水を、給水配管を通して微小気泡水槽から動植物生育場に供給する。これにより、微小気泡水槽には、常に微小気泡水が貯水される。その結果、仮に停電時であっても、動植物の生育用の微小気泡水を確保することができる。
なお、微小気泡水槽が、動植物生育場の微小気泡水の導入部より上方に設置されていれば、仮に停電時であっても、位置エネルギーを利用して、微小気泡水槽内の微小気泡水を、給水配管を通して無動力で動植物生育場に給水することができる。
また、微小気泡水槽の上面開口が遮光性カバー材により着脱自在に閉蓋されているため、直射日光を原因とした槽内での藻の発生を解消することができる。
【００１５】
特に、請求項２に記載の考案によれば、微小気泡水槽として、容積が１０ｍ３〜１,０００ｍ３の大型の水槽を採用したため、停電時にも使用可能なマイクロバブル水またはナノバブル水を、常時、大量に確保しておくことができる。
また、請求項３に記載の考案によれば、遮光性カバー材として遮光シートを採用したため、遮光性カバー材が低コストで、微小気泡水槽の上面開口の開閉も容易となる。
【００１６】
また、請求項４に記載の考案によれば、微小気泡水槽または遮光性カバー材に設けたミスト噴霧手段により、微小気泡水槽の内周面の露出部分と遮光性カバー材の内面とに、微小気泡水槽の微小気泡水を原料水とした消臭ミストを噴射する。これにより、微小気泡水槽の水面上の内周面や遮光性カバー材の内面に付着した有機物を、微小気泡の圧壊時に生じる超高温、超高圧およびラジカルの作用によって分解することができる。その結果、特に夏季や雨季（梅雨期、秋雨期等）といった高温高湿の気候環境において、遮光性カバー材により閉蓋された微小気泡水槽の上部空間形成面に付着する有機物を原因とした悪臭の発生を抑えることができる。
【図面の簡単な説明】
【００１７】
【図１】この考案の実施例１に係る微小気泡水による動植物陸上生育設備の全体構成を示す模式図である。
【図２】この考案の実施例１に係る別態様の微小気泡水による動植物陸上生育設備を示す全体構成を示す模式図である。
【図３】この考案の実施例１に係る微小気泡水による動植物陸上生育設備の一部を構成するミスト噴霧手段の使用状態を示す要部拡大断面図である。
【考案を実施するための形態】
【００１８】
以下、この考案の実施例を具体的に説明する。ここでは、動植物生育場として魚の養殖場を採用し、これに給水される微小気泡水としてナノバブル水を採用したものを例にとる。
【実施例】
【００１９】
図１において、１０はこの考案の実施例１に係る微小気泡水による動植物陸上生育設備（以下、動植物陸上生育設備）で、この動植物陸上生育設備１０は、屋外で魚を養殖する養殖場（動植物生育場）１１に配備された養殖水槽１２と、養殖場１１付近の屋外に付設されたナノバブル水槽（微小気泡水槽）１３と、ナノバブル水槽１３に設けられて、水面下でナノバブル（微小気泡）を発生させるナノバブル発生機（微小気泡発生機）１４と、ナノバブル水槽１３から養殖場１１にナノバブル水を供給するための給水配管１５と、ナノバブル水槽１３の上面開口を開閉自在に塞ぐ遮光シート（遮光性カバー材）１６とを備えている。
【００２０】
養殖水槽１２は、地面を円形に掘削し、掘削面をコンクリートで固めた直径２０ｍ、深さ２ｍ、容積が６２８ｍ３の屋外容器である。
ナノバブル水槽１３は、養殖水槽１２の近くの地面を円形に掘削し、掘削面をコンクリートにより固めた養殖水槽１２と同一サイズ（６２８ｍ３）の屋外貯水池である。上面開口部は、地面より上方に円環状に突出している。なお、ナノバブル水槽１３は、地面より高い盛土の上面を掘削して設けてもよい（図２）。これにより、停電時、位置エネルギーを利用してナノバブル水を養殖水槽１２へ無動力で給水することができる。
養殖水槽１２とナノバブル水槽１３とは、給水配管１５により連通されている。給水配管１５の途中には、フィルタ１８、給水ポンプ１９および絞り弁２０が、下流から順に所定間隔で配設されている。
【００２１】
ナノバブル発生機１４は、ナノバブル水を発生（生成）させるナノバブル水生成装置で、図示しないものの、第１の容器と、第１の容器内の水を撹拌してマイクロバブルを生成する第１の羽根付き回転体とを有するマイクロバブル生成手段と、マイクロバブル生成手段と配管により接続された第２の容器と、第２の容器内の水中のマイクロバブルを圧壊させてナノバブルを生成する第２の羽根付き回転体とを有している。ナノバブル水生成に際しては、第１の容器内で水を第１の羽根付き回転体により撹拌し、マイクロバブル水を生成する。その後、得られたマイクロバブル水を第２の容器へ送り込み、ここで第２の羽根付き回転体により撹拌し、マイクロバブルを圧壊してナノバブル水を生成する。
遮光シート１６は、ポリエステル繊維からなる基布に合成樹脂塗料を含浸させた防水性を有する帆布である。遮光シート１６は、ロープ２１によりナノバブル水槽１３の上面開口を開閉自在に塞ぐように構成されている。
【００２２】
図３に示すように、ナノバブル水槽１３には、その内周面の露出部分と遮光シート１６の内面とに、ナノバブル水槽１３のナノバブル水からなる消臭ミストを噴霧するミスト噴霧器（ミスト噴霧手段）１７が設けられている。
ミスト噴霧器１７は、ナノバブル水槽１３の水面から吸い上げ管２２を通してナノバブル水を吸い上げる小型ポンプ２３と、吸い上げ管２２の途中に設けられ、ナノバブル水に含まれた異物を除去する小型フィルタ２４と、吸い上げられたナノバブル水を貯める貯水タンク２５と、貯水タンク２５のナノバブル水をナノバブル水槽１３の内部空間の方向へ圧送する高圧ポンプ２６と、ナノバブル水槽１３の内周面の上端部に固定されて、小型ポンプ２３、小型フィルタ２４、貯水タンク２５および高圧ポンプ２を収納するケーシング２７と、ナノバブル水槽１３の内周面にその周方向へ１２０°ピッチで配設されたミスト発生用の３個のスプレーノズル２８と、高圧ポンプ２６と各スプレーノズル２８とを連通する一本の送水管２９とを備えている。
ミスト噴霧器１７の運転時には、小型ポンプ２３の作動によりナノバブル水槽１３のナノバブル水を、小型フィルタ２４を通して貯水タンク２５に吸い上げ、その後、貯水タンク２５のナノバブル水を、送水管２９を介して、高圧ポンプ２６の圧送力により各スプレーノズル２８に圧送し、それらのノズル口からナノバブル水槽１３の内周面の露出部分と遮光シート１６の内面とに向け、ナノバブル水からなる消臭ミストを噴出する。
【００２３】
次に、図１〜図３を参照して、この考案の実施例１に係る動植物陸上生育設備１０による魚の陸上養殖方法を説明する。
図１に示すように、養殖水槽１２近くの屋外に付設したナノバブル水槽１３の水面下で、ナノバブル発生機１４によりナノバブルを発生させ、ナノバブル水槽１３に溜まった水をナノバブル水とする。その後、得られたナノバブル水を、給水配管１５を通してナノバブル水槽１３から養殖水槽１２に供給する。これにより、ナノバブル水槽１３には、常にナノバブル水が貯水される。その結果、仮に停電時であっても、魚の養殖用のナノバブル水を確保することができる。特に、ナノバブル水槽１３として、容積が６２８ｍ３の大型の水槽を採用したため、停電時にも使用可能なナノバブル水を、常時、大量に確保しておくことができる。
【００２４】
確保されたナノバブル水は、緊急時用の発電機で作動する小型の電動ポンプや手動ポンプ等により養殖水槽１２へ供給される。なお、ナノバブル水槽１３が、養殖水槽１２のナノバブル水の導入部より上方に設置されていれば、仮に停電時であっても、位置エネルギーを利用し、ナノバブル水槽１３内のナノバブル水を無動力で動植物生育場に給水することができる（図２）。
なお、養殖水槽１２の中で魚の養殖に利用されたナノバブル水は、そのまま排水してもよいし、使用後のナノバブル水を図示しない戻り配管を通してナノバブル水槽１３へ戻し、循環させてもよい。なお、循環させる場合には、戻り配管の途中に、循環ポンプと、魚の糞などを沈降させる沈殿槽と、水中の異物をフィルタにより捕獲する物理ろ過装置と、バクテリアを利用して水中の有害物質を無害化する生物ろ過装置と、循環するナノバブル水を魚が快適な温度に調整する水温調整装置とを、互いに所定間隔をあけて配設した方が好ましい。
ナノバブル水槽１３の上面開口は、遮光シート１６により着脱自在に閉蓋されている。そのため、日中、直射日光を原因とした槽内での藻の発生を解消することができる。
【００２５】
また、図３に示すように、夏季や雨季（梅雨期、秋雨期等）といった高温高湿の気候時には、ミスト噴霧器１７を運転し、ナノバブル水槽１３の内部空間で発生する悪臭を抑える。
具体的には、小型ポンプを作動し、ナノバブル水槽１３のナノバブル水を、小型フィルタ２４を通して貯水タンク２５に吸い上げる。その後、高圧ポンプ２６を作動し、貯水タンク２５のナノバブル水を、高圧ポンプ２６の圧送力により送水管２９を通して各スプレーノズル２８に圧送し、各ノズル口からナノバブル水の消臭ミストを、ナノバブル水槽１３の内周面の露出部分と遮光シート１６の内面とに向けて噴出する。
これにより、ナノバブル水槽１３の水面上の内周面や遮光シート１６の内面に付着した有機物が、ナノバブルの圧壊時に生じる超高温、超高圧およびラジカルの作用によって分解される。その結果、高温高湿の気候環境において、遮光シート１６により閉蓋されたナノバブル水槽１３の上部空間形成面に付着した有機物による悪臭の発生を抑えることができる。
【産業上の利用可能性】
【００２６】
この考案は、微小気泡水を利用し、動物の陸上飼育や植物の陸上栽培を行う技術として有用である。
【符号の説明】
【００２７】
１０  微小気泡水による動植物陸上生育設備
１１  養殖場（動植物生育場）
１２  養殖水槽
１３  ナノバブル水槽（微小気泡水槽）
１４  ナノバブル発生機（微小気泡発生機）
１５  給水配管
１６  遮光シート（遮光性カバー材）
１７  ミスト噴霧器（ミスト噴霧手段）
【図１】
0003208850.tif 000003
【図２】
0003208850.tif 000004
【図３】
0003208850.tif 000005